(57)【要約】【課題】スラブや壁への設置が容易にできる補強材およびこれを使用した既存建物の補強構造を提供することである。【解決手段】補強材１は、上端筋２と下端筋３とがラチス筋４で接合されたトラス筋５における下端筋３に、該下端筋３を上下から包み込むようにして取付プレート６が一体形成されてなる。【選択図】図１
2007182726.tif 000002
【特許請求の範囲】
【請求項１】
上端筋と下端筋とがラチス筋で接合されたトラス筋における下端筋に、該下端筋を上下から包み込むようにして取付プレートが一体形成されてなることを特徴とする補強材。
【請求項２】
トラス筋は三角形の頂部に配置された一本の上端筋と二本の下端筋とがラチス筋で接合されたものであることを特徴とする請求項１に記載の補強材。
【請求項３】
取付プレートは二本の下端筋にわたって形成されたもの、または二本の下端筋の各筋ごとに形成されたものであることを特徴とする請求項２に記載の補強材。
【請求項４】
取付プレートは上側プレートと下側プレートとからなり、これら上下のプレートが下端筋を挟み込んで接合されたことを特徴とする請求項３に記載の補強材。
【請求項５】
請求項１〜４の補強材が取付プレートで既存建物のスラブ、または壁のうちの少なくともひとつに取り付けられ、前記補強材を覆うようにしてスラブ、または壁に増し打ちコンクリートが打設されてなることを特徴とする既存建物の補強構造。
【請求項６】
取付プレートは接着剤またはアンカーボルトで取り付けられたことを特徴とする請求項５に記載の既存建物の補強構造。
【発明の詳細な説明】
【技術分野】
【０００１】
本発明は補強材およびこれを使用した既存建物の補強構造に関するものである。
【背景技術】
【０００２】
従来の既存建物の補強構造としては、例えば特開２００４−３２４２６２号公報の発明がある。これは一本の上端筋と二本の下端筋とが波形のラチス筋で接合されてなるトラス筋を既存スラブの上面にプレートで固定し、このトラス筋を覆うようにコンクリートが打設されて増設部が形成されたものである。
【特許文献１】特開２００４−３２４２６２号公報
【特許文献２】特開２００４−３２４２６２号公報
【発明の開示】
【発明が解決しようとする課題】
【０００３】
しかし、上記の特開２００４−３２４２６２号公報の発明は、プレートが下端筋に溶接接合されており、この溶接時による熱でトラス筋全体がひずむためスラブや壁への設置が容易にできないという問題があった。
【０００４】
本発明は上記のような問題に鑑みてなされたものであり、その目的は、スラブや壁への設置が容易にできる補強材およびこれを使用した既存建物の補強構造を提供することである。
【課題を解決するための手段】
【０００５】
上記の課題を解決するための本願発明の補強材は、上端筋と下端筋とがラチス筋で接合されたトラス筋における下端筋に、該下端筋を上下から包み込むようにして取付プレートが一体形成されてなることを特徴とする。またトラス筋は三角形の頂部に配置された一本の上端筋と二本の下端筋とがラチス筋で接合されたものであることを含む。また取付プレートは二本の下端筋にわたって形成されたもの、または二本の下端筋の各筋ごとに形成されたものであることを含む。また取付プレートは上側プレートと下側プレートとからなり、これら上下のプレートが下端筋を挟み込んで接合されたことを含む。
【０００６】
また既存建物の補強構造は、上端筋と下端筋とがラチス筋で接合されたトラス筋における下端筋に、該下端筋を上下から包み込むようにして取付プレートが一体形成されてなる補強材が、上記の取付プレートで既存建物のスラブ、または壁のうちの少なくともひとつに取り付けられ、前記補強材を覆うようにしてスラブ、または壁に増し打ちコンクリートが打設されてなることを特徴とする。また取付プレートは接着剤またはアンカーボルトで取り付けられたことを含むものである。
【発明の効果】
【０００７】
取付プレートが下端筋を上下から包み込むように、または上下のプレートで挟み込むようにしたことによりトラス筋のひずみを防ぐことができるので、取付プレートを接着剤でスラブまたは壁に設置することができる。また取付プレートが二本の下端筋の各筋ごとに取り付けられたことにより、トラス筋が多少ゆがんでいたとしても、取り付け時において調整が簡単にできる。またトラス筋が取付プレートでスラブ上面または壁面に簡単かつ精度良く設置できるので、既存建物の補強構造が簡単に構築できる。
【発明を実施するための最良の形態】
【０００８】
以下、本発明の補強材および、これを使用した既存建物の補強構造（以下補強構造という）の実施の形態を図面に基づいて説明する。はじめに補強材の実施の形態について説明し、その後に補強構造の実施の形態について説明する。また各実施の形態において同じ構成は同じ符号を付して説明し、異なった構成にのみ異なった符号を付して説明する。この補強材は補強が必要なスラブや壁に設置してこれらを補強するものである。
【０００９】
図１および図２は第１の実施の形態の補強材１である。この補強材１は、三角形の頂部に配置された一本の上端筋２と二本の下端筋３とが波形のラチス筋４で接合されてなるトラス筋５の下端筋３を挟み込むようにして、取付プレート６が設置されて構成されている。この取付プレート６はコンクリート製の上側プレート７と下側プレート８とから構成され、これらのプレート７、８が下端筋３を上下から挟み込むように、すなわち半円形の設置溝９に下端筋３が挿入されて一体接合されている。これら上下のプレート７、８は接着剤１０またはボルトで一体接合され、工場または現場で下端筋３に取り付けるものである。したがって、トラス筋５にひずみを与えることなく、下端筋３の必要な箇所や任意の箇所に任意の数だけ簡単に取り付けることができる。
【００１０】
また、図３は第２の実施の形態の補強材１１である。この補強材１１は取付プレート１２が上下で分離したものではなく、一体のものとして二本の下端筋３にわたって取り付けられたものであり、これ以外は第１の実施の形態の補強材１と同じ構成であり、同じ効果を奏するものである。
【００１１】
また図４および図５は第３の実施の形態の補強材１３である。この補強材１３は取付プレート１４が二本の下端筋３にわたって取り付けられたのではなく、下端筋３における各筋ごとに取り付けられたものであり、これ以外は第１の実施の形態の補強材１と同じ構成である。これは第１の実施の形態の取付プレート６が中央部で長さ方向に沿って切断されたものであり、それぞれが独立しているため、取り付け時においてトラス筋５に多少のひずみがあったとしても調整が簡単にできる。
【００１２】
また上記の第１〜第３の実施の形態における取付プレート６、１２、１４はコンクリート製であったが、これはコンクリートに限らず、鋼製および合成樹脂製であってもよい。さらにトラス筋５は一本の上端筋２と二本の下端筋３とが波形のラチス筋４で接合されたものであったが、これに限らず、一本の上端筋と一本の下端筋とが波形のラチス筋で接合された、いわゆるシングルトラスであってもよい（図示せず）。
【００１３】
次に、第１の実施の形態の補強材１を使用した補強構造１５を図６に基づいて説明する。既存のスラブ１６の上面に下端筋３における取付プレート６が接着剤１０で接着されてトラス筋４が設置されている。このトラス筋４の上端筋２にはスラブの補強筋１７が配筋され、これらが配筋された型枠１８内に増し打ちコンクリート１９が打設されて補強構造１５が構成されている。したがって、既存のスラブ１６をはつる必要もなければ、トラス筋５のひずみを気にすることもなく、スラブ１６の上面に簡単に設置することができ、上端筋２に補強筋１７を配筋して型枠１８内に増し打ちコンクリート１９を打設するだけで補強構造１５が簡単に構築できる。
【００１４】
また、図７は同じように、第１の実施の形態の補強材１を壁面２０に設置した補強構造２１であり、トラス筋５をスラブ１６から壁面２０に変えた以外は上記の補強構造１５と同じ構成である。また以上のようにスラブ１６または壁面２０だけではなく、スラブ１６と壁面２０との双方に補強材１を設置した補強構造１５とすることもできる。
【００１５】
また、第１の実施の形態の補強材１だけではなく、第２および第３の実施の形態の補強材１１、１３を使用した補強構造を構築することもできる。ここにおいて上記の第２および第３の実施の形態における取付プレート６、１２、１４を鋼製および合成樹脂製にすることもでき、またトラス筋５も一本の上端筋と一本の下端筋とが波形のラチス筋で接合された、いわゆるシングルトラスにすることもできる（図示せず）。また上記の取付プレート６は接着剤の他、アンカーボルトでもスラブなどに取り付けることができる。
【図面の簡単な説明】
【００１６】
【図１】第１の実施の形態の補強材であり、（１）は斜視図、（２）は断面図である。
【図２】第１の実施の形態の補強材の平面図である。
【図３】第２の実施の形態の補強材であり、（１）は斜視図、（２）は断面図である。
【図４】第３の実施の形態の補強材であり、（１）は斜視図、（２）は断面図である。
【図５】第３の実施の形態の補強材の平面図である。
【図６】スラブに補強材を設置した補強構造の断面図である。
【図７】壁面に補強材を設置した補強構造の断面図である。
【符号の説明】
【００１７】
１、１１、１３  補強材
２  上端筋
３  下端筋
４  ラチス筋
５  トラス筋
６、１２、１４  取付プレート
７  上側プレート
８  下側プレート
９  設置溝
１０  接着剤
１５、２１  補強構造
１６  スラブ
１７  補強筋
１８  型枠
１９  増し打ちコンクリート
２０  壁面
【図１】
2007182726.tif 000003
【図２】
2007182726.tif 000004
【図３】
2007182726.tif 000005
【図４】
2007182726.tif 000006
【図５】
2007182726.tif 000007
【図６】
2007182726.tif 000008
【図７】
2007182726.tif 000009